(57)【要約】【課題】格別な付加回路を用いることなく、簡便な方法により３相交流モータの各相コイル間を絶縁する絶縁材料の劣化状態を診断する。【解決手段】３相交流モータ４の各相コイル１，２，３のうち、一相のコイル１スイッチＴｒ１をオンにし、リレーＳＷ１をオンにし駆動電源Ｖｓのプラス側と接続する。他相のコイル３のスイッチＴｒ６をオンにし、リレーＳＷ３をオンにし駆動電源Ｖｓのマイナス側と接続する。他のスイッチＴｒ２〜５およびリレーＳＷ２をオフにする。これより各相コイル１，２，３間を絶縁する絶縁材料１３に駆動電源Ｖｓの電圧を印加する。絶縁材料１３が劣化している場合、絶縁材料１３の漏電電流が抵抗Ｒ１を通過するので、アンプＡＭＰ１が抵抗Ｒ１の端子電圧を検出・増幅してモータコントローラ８へ出力する。【選択図】図１
2005137127.tif 000002
【特許請求の範囲】
【請求項１】
モータ駆動回路を構成する各相コイル間を絶縁材料で絶縁したモータにおいて、
前記絶縁材料の劣化を検出するに際し、
前記各相コイルへ駆動用電流を供給する駆動電源の電圧を前記絶縁材料に印加し、該絶縁材料の通電状態に基づき前記絶縁材料の劣化を検出することを特徴とするモータの絶縁材料劣化検出方法。
【請求項２】
請求項１に記載の方法において、
前記各相コイルのうち、相互に隣り合う１相のコイルを前記駆動電源のプラス側と接続し、他相のコイルを前記駆動電源のマイナス側と接続することにより、前記絶縁材料に対する電圧の印加を行うことを特徴とするモータの絶縁材料劣化検出方法。
【請求項３】
モータ駆動回路を構成する各相コイル間を絶縁材料で絶縁したモータの駆動制御を、駆動電源から前記各相コイルへの駆動用電流の制御により遂行するモータ駆動制御装置において、
このモータ駆動制御装置を、前記駆動電源から各相コイルへの駆動用電流の制御が可能な通常制御状態から、前記駆動電源の電圧が前記絶縁材料に印加される絶縁材料劣化検知状態へと切り替える切り替え手段と、
該絶縁材料劣化検知状態への切り替え後における前記絶縁材料の通電状態を検出して該絶縁材料の劣化状態を検知する絶縁劣化検知手段とを具備することを特徴とするモータ駆動制御装置。
【請求項４】
請求項３に記載のモータ駆動制御装置において、
前記切り替え手段は、前記各相コイルのうち、相互に隣り合う１相のコイルを前記駆動電源のプラス側と接続し、他相のコイルを前記駆動電源のマイナス側と接続することにより、モータ駆動制御装置を、前記駆動電源の電圧が前記絶縁材料に印加される状態へと切り替えるものであることを特徴とする絶縁材料劣化検出可能なモータ駆動制御装置。  
【請求項５】
請求項３または４に記載のモータ駆動制御装置において、
前記絶縁劣化検知手段は、前記絶縁材料に流れる漏電電流の電流値、若しくは、電流の時間積分値を検出し、これら電流値またはその時間積分値を基に絶縁材料の劣化状態を検知するものであることを特徴とするモータ駆動制御装置。
【請求項６】
前記各相コイルの一端をオン／オフスイッチを介して前記駆動電源のプラス側と接続し、他端をオン／オフスイッチを介して前記駆動電源のマイナス側と接続し、該オン／オフスイッチをオン／オフ制御することにより、前記通常制御状態でのモータ駆動制御を行うようにした、請求項３乃至５のいずれか１項に記載のモータ駆動制御装置において、
前記切り替え手段は、前記各相コイルのうち、相互に隣り合う１相のコイルのプラス側にある前記オン／オフスイッチをオンにして前記駆動電源のプラス側と接続するとともに、他相のコイルのマイナス側にある前記オン／オフスイッチをオンにして前記駆動電源のマイナス側と接続することにより、前記絶縁材料劣化検知状態への切り替えを行うよう構成したことを特徴とするモータ駆動制御装置。
【請求項７】
請求項６に記載のモータ駆動制御装置において、前記オン／オフスイッチが半導体素子からなることを特徴とするモータ駆動制御装置。
【請求項８】
請求項７に記載のモータ駆動制御装置において、
前記モータがＳＲモータを構成することを特徴とするモータ駆動制御装置。
【請求項９】
請求項７または８に記載のモータ駆動制御装置において、
前記切り替え手段は、前記半導体素子をオンにする場合に、該半導体素子のゲート端子へ飽和領域に達しない程度の電流を与えるものであり、
前記絶縁劣化検知手段は、該半導体素子の端子電圧を検出するよう構成したことを特徴とするモータ駆動制御装置。
【請求項１０】
請求項３乃至９のいずれか１項に記載のモータ駆動制御装置において、
前記切り替え手段は、絶縁材料に印加する電圧を前記駆動電源の電圧と同じにすることを特徴とするモータ駆動制御装置。
【請求項１１】
請求項３乃至９のいずれか１項に記載のモータ駆動制御装置において、
前記駆動電源の電圧を昇圧する昇圧手段を設け、
前記切り替え手段は、この昇圧された電圧を絶縁材料に印加することを特徴とするモータ駆動制御装置。
【請求項１２】
請求項３乃至１１のいずれか１項に記載のモータ駆動制御装置において、絶縁材料の劣化状態に応じて前記モータの最大出力を制限するよう構成したことを特徴とするモータ駆動制御装置。
【請求項１３】
請求項項３乃至１２のいずれか１項に記載のモータ駆動制御装置において、モータ力行中は、絶縁材料の劣化状態に応じて、前記各相コイルの印加電圧を低減するよう構成したことを特徴とするモータ駆動制御装置。
【請求項１４】
請求項３乃至１３のいずれか１項に記載のモータ駆動制御装置において、絶縁材料の劣化状態の履歴を記憶する絶縁材料劣化履歴記憶手段を設けたことを特徴とするモータ駆動制御装置。
【請求項１５】
請求項項３乃至１４のいずれか１項に記載のモータ駆動制御装置において、
前記絶縁劣化検知手段は、車両の起動時、アクセルを離した時、ブレーキをかけた時のいずれ１つ以上の時に作動するよう構成したことを特徴とする車両用モータ駆動制御装置。  
【発明の詳細な説明】
【技術分野】
【０００１】
本発明は、異なる相のコイル間を絶縁層で絶縁したモータにつき、簡易な構成により、コイルの絶縁層の劣化を検出する技術に関するものである。
【背景技術】
【０００２】
電気自動車の駆動方式の一つとして、車輪の中にモータを挿入するインホイールドライブ方式が提案されている。このインホイールドライブ方式はエンジンや無段変速機などのパワーユニットを設ける必要がなく、車室内の有効利用空間が拡大することや各輪独立駆動による従来の自動車と異なる運転感覚が得られるという特徴がある。このインホイールドライブ方式を実現するためにはモータを小型化し、単位重量当たりの出力の高いモータを搭載することが必要となる。モータを小型化しつつ高出力化するには、高電圧駆動が一つの有効な手段となるが、小型モータでは絶縁距離が十分確保しにくい。そこでこのようなモータでは、絶縁抵抗の大きい樹脂などの絶縁材料でコイルの隙間を充填することが考えられる。また、このような方法を採用すると絶縁材料はコイルで発生した熱をモータコアやハウジングを介して放熱するための伝熱材としての機能も期待できるので、モータの小型化には適した方法である。
【０００３】
一方、このような絶縁材料には、電気自動車を長期間にわたって使用することにより機械的・熱的ストレスが加わり、劣化して絶縁性が低下する。異なる２相のコイル間の絶縁層が劣化して導通してしまうと、２相のコイルが同時に励磁されるとともにコイル１相当たりの印加電圧が減少するので、モータの出力が低下してしまう。したがって、モータの出力が顕著に低下する前に劣化を検知しなければならない。
ところで、モータの絶縁劣化を検知する方法として例えば特許文献１に記載のごとく、
モータを収納するハウジングとモータを駆動制御するインバータのマイナス側端子との間に漏電検出用抵抗を設け、この抵抗によりハウジングに生じた漏電電流を電圧に変換して、この電圧が所定電圧値に達することによって漏電を検出している。
【特許文献１】特開平７−５９２５７号公報
【発明の開示】
【発明が解決しようとする課題】
【０００４】
しかし、上記従来のような漏電検出方法によれば、モータのコイルからハウジングへ流れる電流は検出できるが、コイル間で漏電電流が流れても検知することはできないという問題を生ずる。さりとて、モータに本来機能以外の部品を組み込んでコイル間の漏電電流を検出する手段を新たに設けることとすれば、部品点数が増加して、コスト高になってしまうばかりか、インホイールドライブ方式用のモータを小型化することができなくなる。
【０００５】
本発明は、簡易な構成により、異なる２相のコイル間を絶縁する絶縁材料の絶縁劣化状態を検出することができる方法を提案することを目的とする。
【課題を解決するための手段】
【０００６】
この目的のため本発明によるモータの絶縁材料劣化検出方法は、請求項１に記載のごとく、
モータ駆動回路を構成する各相コイル間を絶縁材料で絶縁したモータにおいて、
前記絶縁材料の劣化を検出するに際し、
前記各相コイルへ駆動用電流を供給する駆動電源の電圧を前記絶縁材料に印加し、該絶縁材料の通電状態に基づき前記絶縁材料の劣化を検出することを特徴としたものである。
また、請求項３に記載のごとく、
モータ駆動回路を構成する各相コイル間を絶縁材料で絶縁したモータの駆動制御を、駆動電源から前記各相コイルへの駆動用電流の制御により遂行するモータ駆動制御装置において、
このモータ駆動制御装置を、前記駆動電源から各相コイルへの駆動用電流の制御が可能な通常制御状態から、前記駆動電源の電圧が前記絶縁材料に印加される絶縁材料劣化検知状態へと切り替える切り替え手段と、
該絶縁材料劣化検知状態への切り替え後における前記絶縁材料の通電状態を検出して該絶縁材料の劣化状態を検知する絶縁劣化検知手段とを具備することを特徴としたものである。
【発明の効果】
【０００７】
かかる請求項１に記載の本発明によれば、コイル間の漏電電流の検出が可能となり、コイル間の絶縁材料の劣化を検出することができる。したがって、絶縁材料の劣化が顕著となり、モータの出力が大きく低下する前に、絶縁劣化の前兆を検知することができる。
また請求項３に記載の本発明によれば、モータ内に新たな部品を組み込むことなく、簡易な方法によりコイルの絶縁材料の劣化を検出することが可能となり、しかも、コスト上大いに有利であって、インホイールドライブ方式用のモータの小型化を妨げることもない。
【発明を実施するための最良の形態】
【０００８】
以下、本発明の実施の形態を、図面に示す実施例に基づき詳細に説明する。
図１は本発明の一実施例になる絶縁材料劣化検出手段を具えたモータ回路とモータ駆動制御装置の組み合わせを模式的に示す回路構成図である。本実施例のモータ４は電気自動車あるいはハイブリッド自動車において車両駆動力の主体または補助として用いられる３相交流ＳＲモータ（スイッチトリラクタンスモータ、別名VR（variable reluctance）モータ）である。コイル１，２，３は３相交流ＳＲモータ４の固定子巻線を構成し、それぞれＵ相、Ｖ相、Ｗ相をなす。Ｕ相コイル１の一端は、オン／オフ機能を有するトランジスタ型の半導体素子Ｔｒ１を介してプラス線５と接続する。また、Ｕ相コイル１の他端は、オン／オフ機能を有するトランジスタ型の半導体素子Ｔｒ２を介してマイナス線６と接続する。同様に、Ｖ相コイル２の一端は、オン／オフ機能を有するトランジスタ型の半導体素子Ｔｒ３を介してプラス線５と接続し、Ｖ相コイル２の他端は、オン／オフ機能を有するトランジスタ型の半導体素子Ｔｒ４を介してマイナス線６と接続する。同様に、Ｗ相コイル３の一端も、オン／オフ機能を有するトランジスタ型の半導体素子Ｔｒ５を介してプラス線５と接続し、Ｗ相コイル３の他端も、オン／オフ機能を有するトランジスタ型の半導体素子Ｔｒ６を介してマイナス線６と接続する。これより、コイル１，２，３には通電可能とする。
【０００９】
さらに、Ｕ相コイル１の半導体素子Ｔｒ１と接続する上記一端は、ダイオードＤ２を介してマイナス線６と接続するとともに、Ｕ相コイル１の半導体素子Ｔｒ２と接続する上記他端は、ダイオードＤ１を介してプラス線５と接続する。同様に、Ｖ相コイル２の半導体素子Ｔｒ３と接続する上記一端は、ダイオードＤ４を介してマイナス線６と接続するとともに、Ｖ相コイル２の半導体素子Ｔｒ４と接続する上記他端は、ダイオードＤ３を介してプラス線５と接続する。Ｗ相コイル３の半導体素子Ｔｒ５と接続する上記一端も、ダイオードＤ６を介してマイナス線６と接続するとともに、Ｗ相コイル３の半導体素子Ｔｒ６と接続する上記他端も、ダイオードＤ５を介してプラス線５と接続する。これより、コイル１，２，３には整流機能を設ける。プラス線５とマイナス線６との間には通電波形を整えるためのコンデンサＣ１を介挿する。以上より、各相コイル１，２，３と、トランジスタＴｒ１〜６およびダイオードＤ１〜６からなるモータ制御用インバータと、コンデンサＣ１は、モータ４を構成する。
【００１０】
プラス線５はジャンクションボックス７のリレーＳＷ１を介して直流電源Ｖｓの正極と接続し、マイナス線６はジャンクションボックス７のリレーＳＷ２を介して直流電源Ｖｓの負極と接続する。
【００１１】
さらに、マイナス線６と直流電源Ｖｓの負極との間にはジャンクションボックス７のリレーＳＷ３を、リレーＳＷ２と並列に挿置する。リレーＳＷ３と直流電源Ｖｓの負極との間には、本発明の目的である漏電検出のためのコンデンサＣ２と、抵抗Ｒ１と、アンプＡＭＰ１を相互に並列になるよう介挿する。コイル１，２，３間を流れる漏電電流の計測のため、抵抗Ｒ１のインピーダンスは、計測のために必要な分のインピーダンスを確保する程度とする。アンプＡＭＰ１は、抵抗Ｒ１に作用する端子電圧を増幅してモータコントローラ８へ出力する。
【００１２】
モータコントローラ８は、力行時には、リレーＳＷ３をオフ非接続したままリレーＳＷ１およびＳＷ２をオン接続するとともに、半導体素子Ｔｒ１〜Ｔｒ６のオン／オフ制御を行って、コイル１，２，３をそれぞれ独立に励磁して、モータ４を力行させる。一方、回生時にはコイル１，２，３に蓄えられたエネルギーを整流して直流電源Ｖｓに戻す。
【００１３】
図２は固定子（ステータ）に6つの突極を持ち、回転子（ロータ）に４つの突極を持つ3相式の6極ステータ×4極ロータの例となるＳＲモータ４を示す横断面図であり一部を省略したものである。中心軸線Ｏにあって回転駆動する回転子９の外周には、回転子９を取り巻くように積層鋼板からなる中空円筒形状の固定子（ステータ）１０を設ける。  固定子１０は積層した電磁素鋼板で構成されている。固定子１０の内周には、中心軸線Ｏに向かって突出する６箇所の突極１１，１１・・を中心軸線Ｏと平行に形成し、それぞれの突極１１には図中時計回りの方向にＵ相、Ｖ相、Ｗ相・・・の順にコイル巻線１，２，３を巻回する。巻回されたコイル巻線１，２，３を絶縁材料１２で囲繞し、隣り合う突極１１，１１の間に画成された溝１２，１２・・を絶縁材料１３で充填する。これより、１つの溝１２内に延在する異なった２相のコイル巻線同士は絶縁材料１３によって絶縁される。力行時にはＵ相、Ｖ相、Ｗ相の順に各コイルに通電することでロータは半時計回りに回転する構成となっている。
【００１４】
次にコイル１，２，３を囲繞して漏電を防止し、放熱を促進する絶縁材料１３の劣化検出手段について説明する。例えば図２左側に示した、溝１２ａのＵ相コイル１とＷ相コイル３との間の絶縁材料１３ａの劣化を検出する場合、モータコントローラ８が図示せざる駆動制御装置（ＥＣＵ）から駆動指令を受けていない時をみはからってＵ相コイル１とＷ相コイル３の間に電圧を印加する。絶縁材料１３ａが劣化していれば、Ｕ相コイル１とＷ相コイル３の間に漏電が発生し、絶縁材料１３ａに漏電電流が流れるので、漏電この電流を検出すればよい。  具体的には、車両の起動時、つまり運転者がイグニッションをオンした時に、モータ４の力行運転に入る前に、図１中、モータコントローラ８がジャンクションボックス７内のリレーＳＷ１、ＳＷ３をオン接続し、ＳＷ２をオフ非接続とする。次に、半導体素子Ｔｒ１とＴｒ６をオン接続し、それ以外の半導体素子Ｔｒ２〜Ｔｒ５はオフ非接続の状態にしておく。すなわち、半導体素子Ｔｒ１をオン接続することによりＵ相コイル１は駆動電源Ｖｓのプラス側電位と等しくなる。また半導体素子Ｔｒ６をオン接続することによりＷ相コイル３は駆動電源Ｖｓのマイナス側電位と等しくなる。これよりＵ相コイル１とＷ相コイル３間の絶縁材料１３ａに駆動電源Ｖｓの電圧を印加する。同様にして、Ｕ相コイル１とＶ相コイル２間の絶縁材料１３や、Ｖ相コイル２とＷ相コイル３間の絶縁材料１３についても、半導体素子Ｔｒ１〜６をオン／オフ制御して電源電圧Ｖｓを印加する。
【００１５】
前記絶縁材料１３ａが劣化していた場合には絶縁材料１３ａを介して漏電電流が流れる。
絶縁材料１３の劣化状態が進行すると漏電電流が大きくなるところ、本実施例では漏電電流の大きさに応じて抵抗Ｒ１の端子電圧は上昇するので、これをアンプＡＭＰ１により増幅しモータコントローラ８へ出力して劣化の状態を検知することができる。以上のような検知手順と同様にしてＵ相コイル１とＶ相コイル２間の絶縁材料１３、Ｖ相コイル２とＷ相コイル３間の絶縁材料１３の劣化検知を行う。
【００１６】
以上は絶縁材料１３に電圧を印加中、微弱な漏電電流が流れる場合の劣化検知方法であるが、絶縁材料１３に流れる電流がパルス的な場合もある。例えば絶縁材料１３を構成する樹脂材料に空隙ができたとすると、一般的に空隙は樹脂部分に比べて絶縁破壊電圧が比較的低いため空隙内で部分放電が発生することがある。このような放電の電流はパルス状であり、絶縁材料１３に電圧が印加された後に瞬間的にしか電流が流れない可能性が高い。このような電流を適切に計測するため、図１中のコンデンサＣ２によって電流を積分し、コンデンサＣ２の端子電圧を、アンプＡＭＰ１で増幅してモータコントローラ８に入力し、劣化の状態を検知する。
【００１７】
絶縁材料１３の劣化が進行するほど、漏電電流が大きくなって抵抗Ｒ1の端子電圧が大きくなるため、モータコントローラ８は、アンプＡＭＰ１から得られた電圧データ履歴を、劣化状態の履歴として記憶し、力行時には、記憶した劣化状態データをモータ４の駆動制御に役立てるものとする。また、修理の際には、絶縁材料１３の劣化箇所を迅速に特定し、劣化の原因を発見するのに資する。
【００１８】
次に上記絶縁材料の劣化状態データに基づくモータ４の駆動制御について説明する。
一般に、上記の如く絶縁材料１３を流れる漏電電流が検出されても、それが微小な場合は直ちに深刻なモータ出力の低下にはつながらない場合が多い。そこでモータコントローラ８は、漏電電流が微小であり絶縁材料１３の劣化状態が軽度であると判断すれば、力行時には各相コイル１，２，３に印加する電圧を低減することにより、駆動トルクを下げて、モータ４の発熱を抑えるなどモータ４への負担が少なくなるような制御方法に切り替えるものとし、しばらくの間は車両の自走を可能にする。またモータコントローラ８は、図示せざる警告灯やブザーにより警報を発して、運転者に対する通知を行って、修理を促す。
【００１９】
具体的には、検出した漏電電流に対し段階別のしきい値を設けることで、劣化状態に応じたモータ制御を行うものとする。つまり、劣化の初期（軽度の劣化）では各相コイル１，２，３に印加する電圧を減じ、さらに劣化が進んだ場合（重度の劣化）にはコイル１，２，３へ通電する電流値を下げて、なるべくモータ４の出力低下を先送りにしながらモータ４への負担を軽減するものとする。
なお、上記した劣化時の駆動制御（各相コイル１，２，３に印加する電圧、駆動トルク等）の具体的数値はモータ４の設計要件により決められることはいうまでもない。また、各相コイル１，２，３に印加する電圧を減じるために、半導体素子Ｔｒ１〜６のオン時間を短くして通電時間を短くする。もしくはＤＣ/ＤＣコンバータのような昇圧回路を具える場合は昇圧を行わない又は昇圧量を小さく設定するものとする。
【００２０】
以上、本発明になるモータの絶縁材料の劣化検出方法を、３相交流ＳＲモータに用いた実施例につき説明したが、本発明になるモータの絶縁材料の劣化検出方法は、３相以外の多相モータや、その他の構造を有する多相モータのコイル間を絶縁する絶縁材料の劣化検出にも適用できること勿論である。
【００２１】
次に、他の実施例になる絶縁材料の劣化検出手段について説明する。
図３は他の実施例による絶縁材料の劣化検出手段を具えたモータ回路とモータ駆動制御装置の組み合わせを模式的に示す回路構成図である。図１に示した実施例と基本的には共通の回路構成を有するものの、異なる箇所について説明すると、ジャンクションボックス７内にリレーＳＷ３、抵抗Ｒ１、コンデンサＣ２およびアンプＡＭＰ１からなる回路を設けずに、半導体素子Ｔｒ６と並列に電圧計ＶＭ６を設ける。
【００２２】
Ｕ相コイル1とＷ相コイル３間の絶縁劣化状態を検出する際には、モータコントローラ８が、リレーＳＷ１およびＳＷ２をオン接続にするとともに、半導体素子Ｔｒ１をオン接続し、半導体素子Ｔｒ６のゲートＴｒ６ｇにトランジスタＴｒ６が飽和領域に達しない程度の電流を与えて半導体素子Ｔｒ６をオン接続し、その他の半導体素子Ｔｒ２〜Ｔｒ５をオフ非接続にする。このとき、半導体素子Ｔｒ６のコレクタＴｒ６ｃとエミッタＴｒ６ｅ間のインピーダンスは、完全にオン接続する場合よりも大きくなっているため、Ｕ相コイル１とＷ相コイル３間の絶縁材料１３の漏電電流が半導体素子Ｔｒ６を流れる際には、漏電電流が微小であっても、半導体素子Ｔｒ６の端子電圧が大きくなる。電圧計ＶＭ６は、半導体素子Ｔｒ６の端子電圧を検出し、検出した電圧値をモータコントローラ８へ出力する。
なお、上記以外のコイル間の絶縁劣化状態を検出するために、上記と同様、半導体素子Ｔｒ２，４と並列に図示せざる電圧計をそれぞれ設ける。
【００２３】
更に他の実施例になる絶縁材料の劣化検出手段について、以下に説明する。
図４は更に他の実施例による絶縁材料の劣化検出手段を具えたモータ回路とモータ駆動制御装置の組み合わせを模式的に示す回路構成図である。図１に示した実施例と基本的には共通の回路構成を有するものの、異なる箇所について説明すると、プラス線５とリレーＳＷ１間に昇圧回路１４を新たに設ける。昇圧回路１４は直流電源Ｖｓの端子電圧よりも高い電圧をコイル１，２，３へ印加し、モータ４の高速回転を可能にする。
【００２４】
絶縁材料１３の劣化状態、例えばＵ相コイル1とＷ相コイル３間の絶縁劣化状態を検出する際には、上記最初の実施例と同様にモータコントローラ８が、リレーＳＷ１およびＳＷ３をオン接続し、リレーＳＷ２をオフ非接続するとともに、半導体素子Ｔｒ１，６をオン接続し、その他の半導体素子Ｔｒ２〜Ｔｒ５をオフ非接続にする。このとき、Ｕ相コイル1とＷ相コイル３間の絶縁材料１３には昇圧回路１４で昇圧された電圧が印加される。
Ｕ相コイル１とＷ相コイル３間の絶縁材料１３からリレーＳＷ３を経て抵抗Ｒ１またはコンデンサＣ２へ漏電電流が流れる際には、アンプＡＭＰ１が抵抗Ｒ１またはコンデンサＣ２の端子電圧を増幅し、モータコントローラ８へ出力する。
【００２５】
ところで上記した本実施例によれば、モータ４の３相コイル１，２，３間を絶縁する絶縁材料１３の劣化を検出する際に、コントローラ８が図１に例示するように半導体素子Ｔｒ１をオン接続して、Ｕ相コイル１を駆動電源Ｖｓのプラス線５と接続し、半導体素子Ｔｒ６をオン接続して、Ｗ相コイル３を駆動電源Ｖｓのマイナス線６と接続して、Ｕ相コイルとＷ相コイル間にある絶縁材料１３に駆動電源Ｖｓの電圧を印加する。したがって、コイル１，２，３間の漏電が顕著になる前に絶縁劣化を検知することができる。
【００２６】
そして、ジャンクションボックス７のリレーＳＷ１およびＳＷ３をオン接続しつつ、リレーＳＷ２をオフ非接続し、半導体素子Ｔｒ１およびＴｒ６をオンにして同じ溝１２ａ内で相互に隣り合う２相のコイルに駆動電源Ｖｓの両極を接続し、絶縁材料１３に電圧を印加することから、モータ４に本来の駆動用機能以外の部品を組み込むことなく絶縁材料１３の劣化を検出することができる。したがって、簡易な構成によって、絶縁材料１３の劣化状態を迅速に判断することが可能となり、新たな部品を追加することによるコストの増大を招くこともなく、インホイールドライブ方式用のモータの小型化を妨げることもない。
【００２７】
また本実施例では、コントローラ８が、モータ４の駆動制御を行う通常制御状態から絶縁材料１３に電圧を印加する絶縁材料劣化検知状態へ切り替わることができることから、モータ４の力行運転を阻害することなく絶縁材料１３の劣化を検知することができる。さらに、絶縁材料の劣化を検知するために別途のコントローラを設ける必要もなく部品点数の増加およびコストの増大を防止することができる。
【００２８】
また本実施例では、コンデンサＣ２が、漏電電流の時間積分値を検出することから、漏電電流がパルス的であっても絶縁材料１３の劣化を検知することができる。
【００２９】
ほかにも、図３に示した実施例では、モータコントローラ８が、半導体素子Ｔｒ６のゲートＴｒ６ｇへ飽和領域に達しない程度の電流を与えて、半導体素子Ｔｒ６がインピーダンスを有する状態でオンにして、Ｕ相コイル１とＷ相コイル間の絶縁材料１３に電圧を印加し、半導体素子Ｔｒ６と並列に設けた電圧計ＶＭ６が半導体素子Ｔｒ６の端子電圧を検出することにより漏電電流を検出するため、図１中の抵抗Ｒ１、コンデンサＣ２およびアンプＡＭＰ１を別途設ける必要がなく、より簡易な構成を用いて絶縁材料１３の劣化を検出することができる。
【００３０】
また、図１および図３に示した実施例では、モータ４駆動用の電源Ｖｓの電圧を用いて、絶縁材料に電圧を印加するため、絶縁劣化検出用に電圧源を別個に設ける必要がなく、車重の増加を防止することができる。
【００３１】
あるいは、図４に示した実施例のように、直流電源Ｖｓの電圧を昇圧してモータを駆動する構成であれば、モータ４駆動用の高電圧を絶縁材料１３の劣化検出に流用することにより、わずかな劣化も検出が可能になる。したがって、劣化をより早期に発見することができる。
【００３２】
絶縁材料の劣化が進行するほど漏電電流が大きくなることに着目し、本実施例では、モータコントローラ８が検出した漏電電流値に基づいて絶縁材料１３の劣化状態を判断し、劣化が軽度であれば、通常の駆動制御から、力行中のモータ４の最大出力を低減したり、各相コイル１，２，３の印加電圧を低減したりして、モータ４に負担がかからないような非常時の駆動制御に切り換わる。したがって、絶縁材料１３に過大な熱ストレスがかからないようにして、絶縁劣化が進行するのを抑えつつ、しばらくの間は車両が走行をつづけることができるようになる。
【００３３】
さらに本実施例では、モータコントローラ８が、絶縁材料の劣化状態の履歴を記憶しておくため、修理時には、絶縁材料１３の劣化箇所と劣化原因を迅速かつ容易に特定することができる。
【００３４】
また本実施例では、車両の起動時に劣化状態を検出するよう構成したことから、車両が完全に停止中で、回転子９が停止しており、回転子９および固定子１０の消磁中に絶縁材料１３に電圧を印加することができる。したがって、磁束により誘起される電流の影響を排除して漏電電流のみを精度よく検知することでき、正確に劣化状態を検知することができる。なお、劣化の検出は、運転者がアクセル開度操作を行っていない時に実行すればよいから、アクセルを離した時やブレーキをかけた時にも、劣化状態を検出し、絶縁材料１３をモニターし続けることで絶縁材料１３の不良を早期に発見することができる。
【図面の簡単な説明】
【００３５】
【図１】本発明の一実施例になる絶縁材料の劣化検出手段を具えたモータ回路とモータ駆動制御装置の組み合わせを模式的に示す回路構成図である。
【図２】同実施例になる6極ステータ×4極ロータの3相式ＳＲモータを、回転軸直角方向に切断して示す横断面図である。
【図３】本発明の他の実施例になる絶縁材料の劣化検出手段を具えたモータ回路とモータ駆動制御装置の組み合わせを模式的に示す回路構成図である。
【図４】本発明の更に他の実施例になる絶縁材料の劣化検出手段を具えたモータ回路とモータ駆動制御装置の組み合わせを模式的に示す回路構成図である。
【符号の説明】
【００３６】
１  Ｕ相コイル
２  Ｖ相コイル
３  Ｗ相コイル
４  モータ
５  プラス線
６  マイナス線
７  ジャンクションボックス
８  モータコントローラ
９  回転子
１０  固定子
１１  突極
１２  溝
１３  絶縁材料
１４  昇圧回路
ＳＷ１，ＳＷ２，ＳＷ３  リレー
Ｔｒ１，Ｔｒ２，Ｔｒ３，Ｔｒ４，Ｔｒ５，Ｔｒ６  トランジスタ型スイッチ
Ｄ１，Ｄ２，Ｄ３，Ｄ４，Ｄ５，Ｄ６  ダイオード
Ｃ１，Ｃ２  コンデンサ
Ｒ１  抵抗
ＡＭＰ１  端子電圧検出用アンプ
Ｖｓ  駆動電源
ＶＭ６  電圧計
【図１】
2005137127.tif 000003
【図２】
2005137127.tif 000004
【図３】
2005137127.tif 000005
【図４】
2005137127.tif 000006